(57)【特許請求の範囲】
【請求項１】
建物壁に形成された窓開口の上方に支持される左右一対のサイドブラケットと、当該サイドブラケットに回転可能に支持される巻取軸と、前記窓開口の横幅よりも幅広であって前記巻取軸に巻かれるスクリーンとを具備し、当該スクリーンを前記巻取軸から前記窓開口に沿って引き降ろし可能なロールスクリーンにおいて、
前記巻取軸よりも窓側寄り位置で前記巻取軸と平行なバー部材を、前記建物壁に対する接近離反方向で前記サイドブラケットに移動可能に支持された支持部材を介して、前記左右一対のサイドブラケットで支持し、
前記巻取軸から引き出した前記スクリーンを前記バー部材に掛け回して前記窓開口に沿って引き降ろし可能に構成し、
前記支持部材に、前記窓開口の室内側上縁の上方の室内側壁面に当接するストッパ部を形成したことを特徴とするロールスクリーン。
【請求項２】
建物壁に形成された窓開口の上方に支持される左右一対のサイドブラケットと、当該サイドブラケットに回転可能に支持される巻取軸と、前記窓開口の横幅よりも幅広であって前記巻取軸に巻かれるスクリーンとを具備し、当該スクリーンを前記巻取軸から前記窓開口に沿って引き降ろし可能なロールスクリーンにおいて、
前記巻取軸よりも窓側寄り位置で前記巻取軸と平行な第１バー部材と第２バー部材を前記左右一対のサイドブラケットで支持し、
前記巻取軸から引き出した前記スクリーンを前記第１バー部材に掛け回して前記窓開口に沿って引き降ろし、当該引き降ろしたスクリーンをウェートバーで室内側で上方に折り返し、当該折り返したスクリーンの上端部を前記第２バー部材に連結し、
前記第１バー部材を、前記建物壁に対する接近離反方向で前記サイドブラケットに移動可能に支持したことを特徴とするロールスクリーン。
【請求項３】
前記第２バー部材を、前記建物壁に対する接近離反方向で前記サイドブラケットに移動可能に支持したことを特徴とする請求項２のロールスクリーン。
【請求項４】
前記第１バー部材を前記窓開口の室内側上縁の上方の室内側壁面に接近させ、前記巻取軸から引き出した前記スクリーンを前記第１バー部材と前記室内側壁面との間を通して前記窓開口に沿って引き降ろし可能に構成したことを特徴とする請求項２又は３のロールスクリーン。
【発明の詳細な説明】
【技術分野】
【０００１】
本発明はロールスクリーンに係り、特に窓開口とスクリーンとの間の隙間を狭く調整することができるロールスクリーンに関する。
【背景技術】
【０００２】
ロールスクリーンは使用生地がフラットで軽量なことから開閉（昇降）が容易であり、またスクリーンが室内側に張り出さないので室内空間を広く取ることができるという特徴があり、ホテル客室や一般家屋等で広く使用されている。ロールスクリーンの巻取軸は、ヘッドレールを介して窓開口の上縁に隣接した室内側壁面に取り付けられたり、出窓の場合は出窓天井面に取り付けられたりする（特許文献１の図１参照）。
【先行技術文献】
【特許文献】
【０００３】
【特許文献１】特開２０１６−４４４３７号公報（図１）
【発明の概要】
【発明が解決しようとする課題】
【０００４】
ところで、特許文献１のロールスクリーンは、窓側スクリーンの上端をヘッドレールの第１固定部材（図１の符号３１）で固定している。したがって、ヘッドレールの取付け位置によって窓側スクリーンの上端位置が決まる。このため、ヘッドレールないし巻取軸を、窓開口の上縁に隣接した室内側壁面に取り付ける場合、ヘッドレールを窓開口に十分近付けて取り付けないと窓側のスクリーンと窓開口との間に隙間ができてしまう。このような隙間ができると光漏れが発生して好ましくないのは勿論のこと、冷気漏れ、暖気漏れが発生するので室内温度管理上も好ましくない。
【０００５】
巻取軸はスクリーンボックスに収納した状態で取り付けられるが、スクリーンボックス内でのヘッドレールの取付位置は一般的に定位置に定まっている。このためヘッドレールの取付位置は自由に調整できない。
【０００６】
そこで本発明の目的は、ヘッドレールないし巻取軸の取付位置に関わらず、窓開口とスクリーンとの間の隙間を狭く調整することが可能なロールスクリーンを提供することにある。
【課題を解決するための手段】
【０００７】
前記課題を解決するため、本発明のロールスクリーンは、建物壁に形成された窓開口の上方に支持される左右一対のサイドブラケットと、当該サイドブラケットに回転可能に支持される巻取軸と、前記窓開口の横幅よりも幅広であって前記巻取軸に巻かれるスクリーンとを具備し、当該スクリーンを前記巻取軸から前記窓開口に沿って引き降ろし可能なロールスクリーンにおいて、前記巻取軸よりも窓側寄り位置で前記巻取軸と平行なバー部材を前記左右一対のサイドブラケットで支持し、前記巻取軸から引き出した前記スクリーンを前記バー部材に掛け回して前記窓開口に沿って引き降ろし可能に構成したことを特徴とする。
【発明の効果】
【０００８】
本発明のロールスクリーンによれば、巻取軸よりも窓側寄りにバー部材が位置するので、窓開口とスクリーンとの間の隙間を狭く調整することができる。
【図面の簡単な説明】
【０００９】
【図１Ａ】本発明の第１実施形態に係る一重のロールスクリーンの斜視図である。
【図１Ｂ】本発明の第２実施形態に係る二重のロールスクリーンの斜視図である。
【図２】ロールスクリーンを取り付ける窓の室内側正面図である。
【図３】二重のロールスクリーンの下端折返し部の正面図である。
【図４Ａ】一重のロールスクリーンの側面図である。
【図４Ｂ】二重のロールスクリーンの側面図である。
【図５Ａ】一重のロールスクリーンの開閉状態を示す側面図である。
【図５Ｂ】二重のロールスクリーンの開閉状態を示す側面図である。
【図６Ａ】一重のロールスクリーンのガイド軸の調整状態を示す側面図である。
【図６Ｂ】二重のロールスクリーンのガイド軸の調整状態を示す側面図である。
【発明を実施するための形態】
【００１０】
以下、図面を参照して本発明のロールスクリーンの実施形態を説明する。なお、以下の説明において図面間で共通する部材には共通の参照符号を付すことで重複した説明を適宜省略すものとする。
【００１１】
図１Ａと図１Ｂに、本発明の実施形態に係るロールスクリーン１００の斜視図を示す。図１Ａはスクリーンが一重の第１実施形態のロールスクリーン１００である。図１Ｂはスクリーン１０を折返し軸４０で折り返して二重にした第２実施形態のロールスクリーン１００である。
【００１２】
どちらのロールスクリーン１００も、巻取軸２０よりも窓側寄り位置に巻取軸２０と平行なバー部材としてのガイド軸６０を有する。ロールスクリーン１００の巻取軸２０は、図２に示すように、窓開口の上縁に隣接した室内側建物壁Ｗａに、スクリーンボックスＳＢに収納した状態で取り付けられる。
【００１３】
図２は建物壁Ｗａに形成された窓開口Ｗｉを室内側から見た正面図である。窓８０の左右両側に側壁８１が位置し、上部に天井８２が位置する。８３は窓ガラスである。窓８０の下縁には室内方向に水平に張出した窓台８４が形成されている。窓８０の型式は外開き窓、内開き窓、内倒し窓、引違い窓、ルーバー窓など任意である。
【００１４】
スクリーンボックスＳＢは断面Ｕ字状又はコ字状であり、図２で左右方向に延びている。そして、スクリーンボックスＳＢは窓開口Ｗｉの上縁に隣接した室内側建物壁Ｗａにネジ等で固定される。スクリーン１０は、巻取軸２０の一端部に連結される昇降コードや操作チェーン、或いはウェートバー４２、５０に取り付けた操作ハンドルなどの手動操作によって昇降可能に構成されている。
【００１５】
（●一重タイプの第１実施形態）
一重タイプのロールスクリーン１００は図１Ａに示すように、スクリーン１０と、スクリーン１０を巻取る巻取軸２０と、巻取軸２０を支持するヘッドレール３０と、スクリーン１０の下端部に取り付けられたウェートバー４２を有する。巻取軸２０の両端は、左右一対のサイドブラケット３１を介してヘッドレール３０に支持される。
【００１６】
巻取軸２０は、ヘッドレール３０の両端から下向きに突出した左右一対のサイドブラケット３１によって回転可能に支持されている。この巻取軸２０の外周面にスクリーン１０の上端部が止着される。
【００１７】
ヘッドレール３０は、スクリーンボックスＳＢ内の天井面に配設されたブラケットで固定される。このブラケットは、図２のように窓開口Ｗｉに正対して左右一対で配設されている。ブラケットの位置は固定のものが殆どであり、ヘッドレール３０の取付位置は調整できない。
【００１８】
（●支持部材とガイド軸）
ヘッドレール３０の左右一対のサイドブラケット３１に、図４Ａのように支持部材３２が取り付けられている。この支持部材３２は横長の矩形板状であり、樹脂や金属等で構成することができる。支持部材３２の長手方向（水平方向）すなわち建物壁Ｗａに対する接近離反方向に沿って長穴３２ａが形成されている。
【００１９】
長穴３２ａに挿通した２本のネジ３３が、ヘッドレール３０のサイドブラケット３１にねじ込まれている。これにより、支持部材３２が水平状態でサイドブラケット３１に固定される。
【００２０】
長穴３２ａの窓側端部に、ガイド軸６０の両端部がネジ６１で固定されている。このガイド軸６０は、巻取軸２０から引き出したスクリーン１０を掛け回してスクリーン１０の引き降ろし位置を壁寄りに調整するもので、支持部材３２に回転自在に支持されている。
【００２１】
（●二重タイプの第２実施形態）
一方、二重タイプのロールスクリーン１００は、前述した図１Ａのロールスクリーン１００に折返し軸４０と止着軸７０を追加したものである。折返し軸４０については図３により後述する。
【００２２】
図４Ｂに示すように、支持部材３２の長手方向すなわち建物壁Ｗａに対する接近離反方向に沿って上下二段の長穴３２ａ、３２ｂが平行に形成されている。上段の長穴３２ａに挿通した２本のネジ３３がヘッドレール３０のサイドブラケット３１にねじ込まれている。
【００２３】
これにより、支持部材３２が水平状態でサイドブラケット３１に固定される。そして上段の長穴３２ａの窓側端部に、第１バー部材としてのガイド軸６０の両端部がネジ６１によって固定されている。また下段の長穴３２ｂの窓側端部に、第２バー部材としての止着軸７０がネジ７１で固定されている。
【００２４】
この止着軸７０は、折返し軸４０で上方に折り返した室内側スクリーン１１の上端部を固定するためのもので、止着軸７０の位置を調整することによって、室内側スクリーン１１の上端部を窓開口Ｗｉに対して接近させたり離間させたりすることができる。
【００２５】
（●折返し軸）
図３の折返し軸４０は、樹脂製または金属製の細長円柱状体で構成されている。折返し軸４０とウェートバー５０の合計重量がスクリーン１０の折返し部に作用する。折返し軸４０を引き降ろすことで、図１Ｂ、図４Ｂのように窓開口Ｗｉをスクリーンで閉塞することができる。
【００２６】
ウェートバー５０はアルミ押出材などで構成することができ、折返し軸４０の下側に所定の隙間Ｓ1を開けて配設される。当該隙間Ｓ1を通してスクリーン１０が折り返される。ここではウェートバー５０を矩形断面のアルミ押出材で構成し、当該ウェートバー５０の両端部５１が、エンドキャップ９０を介して折返し軸４０の両端の支軸４１に支持されている。
【００２７】
エンドキャップ９０は樹脂による一体成形品等によって図３に示す形状に構成することができる。エンドキャップ９０は上下方向に延びた長穴９１を有し、この長穴９１に折返し軸４０の支軸４１が上下動可能に挿入される。長穴９１の奥は端板部９２で閉じられている。図４Ｂのようにスクリーン１０を閉じてエンドキャップ９０が窓台８４に着座したとき、折返し軸４０が自重で下降してウェートバー５０に当接することで、光漏れや冷気・暖気漏れが防止されるようになっている。
【００２８】
エンドキャップ９０は、端板部９２の縁から立上げ成形された水平な底部９３と、上下方向に延びた左右両側部９４と、上向き凸条の円弧部９５を有する。水平な底部９３の上にウェートバー５０の両端部５１が接着剤等で固着される。円弧部９５は折返し軸４０の外周面と整合され、図３の側面視での意匠性を高める。
【００２９】
（●ロールスクリーンの開閉作動）
スクリーン１０は、巻取軸２０を回動することにより図５Ａ、図５Ｂのように開閉することができる。スクリーン１０は、図５Ａ、図５Ｂの各（ｂ）のように、中間高さで止めることも可能である。
【００３０】
スクリーン１０は、巻取軸２０の窓側外周面からガイド軸６０を経由して垂直下方に降ろされる。スクリーン１０の開閉（昇降）は、前述した昇降コード、操作チェーン、操作ハンドルなどの手動操作で巻取軸２０を回動（正転又は逆転）することで行う。巻取軸２０は手動操作のほかモータを利用した電動化も可能である。図４Ａ、図４Ｂのようにスクリーン１０を降ろして窓開口Ｗｉを閉じると、スクリーン１０ないし窓側スクリーン１２の左右両側縁が、窓開口Ｗｉの室内側縁部に隙間なく接触して窓開口Ｗｉが完全に閉塞される。
【００３１】
二重タイプの場合はスクリーン１０が折返し軸４０で垂直上方に折り返される。折返し軸４０とウェートバー５０の重量によって、スクリーン１０の折り返し部が下方に引っ張られることで、スクリーン１０の展張状態が維持される。
【００３２】
折返し軸４０の径は、図４Ｂの閉塞状態でスクリーン１０の室内側スクリーン１１と窓側スクリーン１２が平行となる大きさのものを使用するとよい。すなわち、折返し軸４０の径Ｄ1を、巻取軸２０と建物壁Ｗａ（窓開口Ｗｉの上縁）との間の隙間Ｓ2に一致させる（Ｓ2＝Ｄ1）。
【００３３】
但し、図４Ｂの閉塞状態で折返し軸４０が建物壁Ｗａからやや浮き気味になる場合は、折返し軸４０の径Ｄ2を隙間Ｓ2よりもやや大きくするとよい。これにより室内側スクリーン１１が窓側傾斜になり、これにより折返し軸４０が建物壁Ｗａに向けて押されて密着する。
【００３４】
（●ガイド軸の位置調整）
図６Ａ、図６Ｂに支持部材３２の詳細を示す。支持部材３２はネジ３３を緩めることで左右方向にスライド移動可能なので、ガイド軸６０と建物壁Ｗａとの間の隙間が大きいときは、支持部材３２ないしガイド軸６０を窓側にスライド移動する。
【００３５】
図６Ａ、図６Ｂに示すように、支持部材３２のストッパ部としての窓側端部３２ｃを建物壁Ｗａに当接させることにより、ガイド軸６０を建物壁Ｗａに最接近させることができる。これにより、スクリーン１０ないし窓側スクリーン１２を建物壁Ｗａに最接近させることができる。窓側端部３２ｃとガイド軸６０の間隔は、昇降中のスクリーン１０が建物壁Ｗａと擦れないように、スクリーン１０の生地厚よりも余裕を見てやや大きくなるように設定しておく。
【００３６】
支持部材３２の高さ調整が必要な場合は、前述した支持部材３２に加えて第２の支持部材３４を使用する。この第２の支持部材３４はサイドブラケット３１と支持部材３２の間に介在して支持部材３２の高さ調整を行う。例えば、ガイド軸６０がスクリーンボックスＳＢと干渉するような位置関係にある場合に、支持部材３２の高さ調整を行う。
【００３７】
第２の支持部材３４はその左右一対の長穴３４ａに通した左右一対のネジ３５によってサイドブラケット３１に固定される。この第２の支持部材３４に、前述した支持部材３２がネジ３３によって固定される。したがって、ネジ３５を緩めることで支持部材３２、３４の高さ調整を行うことができる。
【００３８】
二重のロールスクリーン１００の場合、室内側スクリーン１１の上端部を固定する止着軸７０の位置を、必要に応じて調整することができる。図６Ｂにおいて、ネジ７１を緩めて止着軸７０を左右方向に移動させることで、室内側スクリーン１１と窓側スクリーン１２の隙間Ｓ2が、折返し軸４０の径Ｓ3よりも大きくならないようにすることができる。間隔をＳ2＜Ｓ3の関係にした場合、折返し軸４０を窓側に寄せる力が作用するので、窓側スクリーン１２と窓開口Ｗｉとの間の隙間を小さくすることができ。
【００３９】
以上、本発明の実施形態について説明したが、本発明は前記実施形態に限定されることなく、種々の変形が可能である。例えば、前記ガイド軸６０と止着軸７０の少なくとも一方を支持部材３２と一体に配設し、支持部材３２を左右方向に移動することでガイド軸６０又は止着軸７０の位置調整を行ってもよい。またガイド軸６０は回転自在にするほか、スクリーン１０の生地が薄手などの場合は、摩擦係数が小さい非回転の滑りガイド軸６０としてもよい。非回転とすることでスクリーン１０開閉時の騒音発生を抑制することができる。
【符号の説明】
【００４０】
１０：スクリーン                        １１：室内側スクリーン
１２：窓側スクリーン                    １２ａ：スクリーンの上端部
２０：巻取軸                            ３０：ヘッドレール
３１：サイドブラケット                  ３２：支持部材
３２ａ、３２ｂ：長穴                    ３３：ネジ
３４：支持部材                          ３４ａ：長穴
３５：ネジ                              ４０：折返し軸
４１：折返し軸の支軸                    ５０：ウェートバー
５１：ウェートバーの両端部              ６０：ガイド軸（バー部材、第１バー部材）
６１、７１：ネジ                        ７０：止着軸（第２バー部材）
８０：窓                                ８１：側壁
８２：天井                              ８４：窓台
９０：エンドキャップ                    ９１：長穴
９１ａ：天井                            ９２：端板部
９３：底部                              ９４：両側部
９５：円弧部                            ９６：軸受
１００：ロールスクリーン                ＳＢ：スクリーンボックス
Ｗａ：建物壁                            Ｗｉ：窓開口
【要約】
【課題】ヘッドレールや巻取軸の取付位置に関わらず、窓開口とスクリーンとの間の隙間を狭く調整することが可能なロールスクリーンを提供する。
【解決手段】本発明のロールスクリーンは、建物壁Ｗａに形成された窓開口Ｗｉの上方に支持される左右一対のサイドブラケット３１と、サイドブラケット３１に回転可能に支持される巻取軸２０と、窓開口Ｗｉの横幅よりも幅広であって巻取軸２０に巻かれるスクリーン１０とを具備し、スクリーン１０を巻取軸２０から窓開口Ｗｉに沿って引き降ろし可能なロールスクリーンにおいて、巻取軸２０よりも窓側寄り位置で巻取軸２０と平行なバー部材（ガイド軸６０）を左右一対のサイドブラケット３１で支持し、巻取軸２０から引き出したスクリーン１０をバー部材に掛け回して窓開口Ｗｉに沿って引き降ろし可能に構成した。
【選択図】図１Ａ【図１Ａ】
0006914572.tif 000002
【図１Ｂ】
0006914572.tif 000003
【図２】
0006914572.tif 000004
【図３】
0006914572.tif 000005
【図４Ａ】
0006914572.tif 000006
【図４Ｂ】
0006914572.tif 000007
【図５Ａ】
0006914572.tif 000008
【図５Ｂ】
0006914572.tif 000009
【図６Ａ】
0006914572.tif 000010
【図６Ｂ】
0006914572.tif 000011